(57)【要約】【課題】データチャネルとパイロットチャネルとの電力比を送信側から貰うことなく精度良く推定してＱＡＭ変調信号を復調すること。【解決手段】信号点配置算出部１０５で、パイロット信号対データ信号の電力比が一定である区間において、データ信号対パイロット信号の電力比を算出する際、過去に推定したデータ信号の受信電力とパイロット信号の受信電力も用いることにより、精度良くデータ信号対パイロット信号の電力比を推定し、データチャネル復調部１０６に与える。【選択図】      図１
2004166004.tif 000002
【特許請求の範囲】
【請求項１】
受信したパイロット信号の受信電力を推定するパイロットチャネル受信電力推定手段と、受信したデータ信号の受信電力を推定するデータチャネル受信電力推定手段と、前記受信するパイロット信号対データ信号の電力比が一定である複数の連続した区間において、電力比を推定する最初の区間では、前記パイロットチャネル受信電力推定手段から出力されるパイロット信号の受信電力と前記データチャネル受信電力推定手段から出力されるデータ信号の受信電力とを用いてデータ信号対パイロット信号の電力比を推定し、以降の区間では、以前に推定したデータ信号及びパイロット信号の受信電力も用いて電力比を推定する電力比推定手段と、前記電力比推定手段にて推定された電力比情報を記憶する記憶手段と、前記電力比推定手段から出力されるデータ信号対パイロット信号の電力比と前記パイロットチャネル受信電力推定手段から出力されるパイロット信号の受信電力とを用いて復調時に用いる信号点配置を推定する信号点配置推定手段と、前記信号点配置推定手段から出力される推定された信号点配置を用いて復調を行うデータチャネル復調手段と、を具備することを特徴とする復調装置。
【請求項２】
前記データチャネル復調手段が出力する復調データを復号する復号手段と、前記復号されたデータ中のチェックデータによって誤り検出を行う誤り検出手段と、前記誤り検出手段にて誤りが検出された場合に前記電力比推定手段にパイロット信号対データ信号の電力比を再推定させる制御を行う制御手段と、を具備し、前記信号点配置推定手段は、前記電力比推定手段にて再推定された電力比を用いて信号点配置を再推定する、ことを特徴とする請求項１記載の復調装置。
【請求項３】
前記電力比推定手段が前記受信するパイロット信号対データ信号の電力比が一定である複数の連続した区間において推定した電力比の分散値と予め閾値として設定した分散値とを比較する判定手段、を具備し、前記制御手段は、前記誤り検出手段にて誤りが検出され、かつ、前記判定手段において、前記電力比推定手段が推定した電力比の分散値が予め閾値として設定した分散値を超えていると判定された場合に、前記電力比推定手段にパイロット信号対データ信号の電力比を再推定させる制御を行う、ことを特徴とする請求項２記載の復調装置。
【発明の詳細な説明】
【０００１】
【発明の属する技術分野】
本発明は、多値直交振幅変調された無線信号の復調を行う復調装置に関する。
【０００２】
【従来の技術】
移動通信システムでは、伝送レートを向上させる方法として、多値直交振幅変調（ＱＡＭ：Ｑｕａｄｒａｔｕｒｅ  Ａｍｐｌｉｔｕｄｅ  Ｍｏｄｕｌａｔｉｏｎ）方式が採用されている。多値ＱＡＭ方式は、１シンボルで多くのビットを送信することができるため、周波数利用効率の大幅な向上が可能となる。例えば、１６ＱＡＭ方式を用いた場合には、１シンボルあたり４ビットの情報伝達が可能となり、ＱＰＳＫ方式に比べて、帯域あたりの周波数利用効率が２倍向上する。以下、多値ＱＡＭ方式として１６ＱＡＭ方式を用いた場合について説明する。
【０００３】
図８は、従来の移動局が備える復調装置の構成例を示すブロック図である。図８に示す従来の移動局が備える復調装置は、受信信号が入力される同期部８００と、受信信号と同期部８００の出力信号とが入力される逆拡散部８０１−１〜８０１−Ｌと、逆拡散部８０１−１〜８０１−Ｌの出力信号が入力されるチャネル推定部８０２−１〜８０２−Ｌと、逆拡散部８０１−１〜８０１−Ｌ及びチャネル推定部８０２−１〜８０２−Ｌの出力信号が入力される同期検波部８０３−１〜８０３−Ｌと、同期検波部８０３−１〜８０３−Ｌの出力信号が入力されるレイク合成部８０４と、レイク合成部８０４の出力信号（制御チャネル）が入力される制御チャネル復調部８０５と、制御チャネル復調部８０５の出力信号が入力される電力比抽出部８０６と、レイク合成部８０４の出力信号（パイロットチャネル）と電力比抽出部８０６の出力信号とが入力される信号点配置算出部８０７と、レイク合成部８０４の出力信号（データチャネル）と信号点配置算出部８０７の出力信号とが入力され復調データを出力するデータチャネル復調部８０８とを備えている。
【０００４】
また、図９は、図８に示す信号点配置算出部８０７の構成を示すブロック図である。図９に示すように、信号点配置算出部８０７は、レイク合成部８０４の出力信号（パイロットチャネル）が入力されるパイロットチャネル受信電力算出部９０１と、電力比抽出部８０６出力信号が入力され、データチャネル復調部８０８に信号を出力する信号点配置推定部９０２と、信号点配置推定部９０２に接続される記憶部９０３とで構成されている。
【０００５】
以上の構成において、基地局から送られて来る受信信号には、各移動局に共通の既知であるパイロット信号を送信するパイロットチャネル、データチャネルの復調に必要な情報等を送信する制御チャネル、ＱＡＭ変調されたデータを送信するデータチャネル等が含まれている。この受信信号は、同期部８００と逆拡散部８０１−１〜８０１−Ｌとに入力される。
【０００６】
同期部８００は、受信信号に対して逆拡散処理を行うタイミングを算出し、その同期タイミングを逆拡散部８０１−１〜８０１−Ｌに出力する。逆拡散部８０１−１〜８０１−Ｌは、同期部８００から入力される同期タイミングで、各チャネルの受信信号に対して逆拡散処理を行い、拡散符号との相関信号を出力する。
【０００７】
チャネル推定部８０２−１〜８０２−Ｌは、逆拡散部８０１−１〜８０１−Ｌから入力されるパイロットチャネルから既知信号であるパイロットシンボルを取り出し、それを用いて各パスにおける伝搬路特性を推定し、チャネル推定値（伝搬路の振幅特性及び位相回転量）として同期検波部８０３−１〜８０３−Ｌに出力する。
【０００８】
同期検波部８０３−１〜８０３−Ｌは、逆拡散後の相関信号にチャネル推定部８０２−１〜８０２−Ｌで推定したチャネル推定値を乗算することでフェージング変動を補償する。レイク合成部８０４は、同期検波部８０３−１〜８０３−Ｌから入力される各パスの相関信号をチャネル毎に同相加算して合成し、制御チャネルとパイロットチャネルとデータチャネルとを分離して出力する。
【０００９】
制御チャネル復調部８０５は、レイク合成部８０４から入力される制御チャネルの復調を行う。制御チャネルに対して符号化処理が行われている場合は、復号化処理も行う。電力比抽出部８０６は、制御チャネル復調部８０５から入力される制御チャネル信号からパイロットチャネルとデータチャネルとの電力比情報を抽出し、信号点配置算出部８０７に出力する。
【００１０】
信号点配置算出部８０７は、電力比抽出部８０６から入力されるデータ信号対パイロット信号の電力比情報及びレイク合成部８０４から入力されるパイロットチャネルから、復調時に用いる信号点配置を算出する。具体的には、図９において、パイロットチャネル受信電力算出部９０１は、レイク合成部８０４から入力されるパイロットチャネルを用いて信号点配置を推定する。
【００１１】
信号点配置推定部９０２は、電力比抽出部８０６から入力されるデータ信号対パイロット信号の電力比と、パイロットチャネル受信電力算出部９０１から出力されるパイロットチャネルの受信電力より、復調に用いる信号点配置を推定する。推定した信号点配置は、データチャネル復調部８０８に出力すると同時に、記憶部９０３に出力して記憶させる。
【００１２】
以降、データチャネルとパイロットチャネルとの電力比の変動がない区間では、記憶部９０３から電力比を読み出し、現スロットのパイロットチャネルを用いることにより信号点配置を推定する。データチャネル復調部８０８は、信号点配置算出部８０７から入力される信号点配置を用いて、レイク合成部８０４から入力されるデータチャネルの復調を行い、復調データを出力する。
【００１３】
ここで、図１０を参照して、データチャネル復調部８０８におけるデータチャネルの復調方法について詳しく説明する。なお、図１０は、信号点配置算出部８０７から入力される復調時に用いる１６ＱＡＭの信号点配置を示す図である。
【００１４】
図１０に示すようにＩＱ平面上に１６個の信号点が配置されており、Ｐ１からＰ１６は、それぞれ（０、０、０、０）、（０、０、０、１）〜（１、１、１、１）に対応している。
【００１５】
受信信号は、フェージングによって位相変動と共に振幅変動の影響を受ける。そのため、信号点配置算出部８０７から入力される信号点配置は、受信信号が受けた振幅変動に応じて補正されているものである。データチャネル復調部８０８は、信号点配置から受信信号に最も近い信号点を求め、近さに対応する情報を復調データとし、入力信号１シンボルに対して復調データ４ビットを出力する。
【００１６】
即ち、データチャネル復調部８０８では、フェージングによって受信信号が受ける振幅変動に応じて適応的に補正された信号点配置を用いるので、伝搬路の状態が変化する場合においても精度良くＱＡＭ変調信号を復調することができる。
【００１７】
上述したように、ＱＡＭ変調信号の復調では、信号点配置が必要であり、その信号点配置の推定精度がデータチャネルの復調精度に大きく影響する。従来の復調装置では、信号点配置の推定に用いるデータチャネルとパイロットチャネルとの電力比は、制御チャネルによって受信側に通知するので、信号点配置の推定精度は、パイロットチャネルの受信電力の推定精度に依存し、比較的精度良くデータチャネルの復調を行うことができる。
【００１８】
【特許文献１】
特開２００２−５０９８４号公報
【００１９】
【発明が解決しようとする課題】
しかしながら、従来の復調装置では、データチャネルとパイロットチャネルとの電力比を制御チャネルで受信側に通知する必要があるので、制御チャネルのリソースを消費してしまうという問題がある。
【００２０】
本発明は、かかる点に鑑みてなされたものであり、データチャネルとパイロットチャネルとの電力比を送信側から貰うことなく精度良く推定してＱＡＭ変調信号を復調する復調装置を提供することを目的とする。
【００２１】
【課題を解決するための手段】
本発明の復調装置は、受信したパイロット信号の受信電力を推定するパイロットチャネル受信電力推定手段と、受信したデータ信号の受信電力を推定するデータチャネル受信電力推定手段と、前記受信するパイロット信号対データ信号の電力比が一定である複数の連続した区間において、電力比を推定する最初の区間では、前記パイロットチャネル受信電力推定手段から出力されるパイロット信号の受信電力と前記データチャネル受信電力推定手段から出力されるデータ信号の受信電力とを用いてデータ信号対パイロット信号の電力比を推定し、以降の区間では、以前に推定したデータ信号及びパイロット信号の受信電力も用いて電力比を推定する電力比推定手段と、前記電力比推定手段にて推定された電力比情報を記憶する記憶手段と、前記電力比推定手段から出力されるデータ信号対パイロット信号の電力比と前記パイロットチャネル受信電力推定手段から出力されるパイロット信号の受信電力とを用いて復調時に用いる信号点配置を推定する信号点配置推定手段と、前記信号点配置推定手段から出力される推定された信号点配置を用いて復調を行うデータチャネル復調手段と、を具備する構成を採る。
【００２２】
この構成によれば、ＱＡＭ変調信号の復調に必要なデータ信号対パイロット信号の電力比を、送信側から貰うことなく自装置内において過去の区間で推定したデータ信号及びパイロット信号の受信電力を用いて精度良く推定することができ、復調精度を向上させることができる。
【００２３】
本発明の復調装置は、上記の発明において、前記データチャネル復調手段が出力する復調データを復号する復号手段と、前記復号されたデータ中のチェックデータによって誤り検出を行う誤り検出手段と、前記誤り検出手段にて誤りが検出された場合に前記電力比推定手段にパイロット信号対データ信号の電力比を再推定させる制御を行う制御手段と、を具備し、前記信号点配置推定手段は、前記電力比推定手段にて再推定された電力比を用いて信号点配置を再推定する構成を採る。
【００２４】
この構成によれば、復号データに誤りが検出された場合において、より精度の良いデータ信号対パイロット信号の電力比を用いて再度復調を行うので、送信側に再送要求を行うことなく誤り訂正を行うことができる。
【００２５】
本発明の復調装置は、上記の発明において、前記電力比推定手段が前記受信するパイロット信号対データ信号の電力比が一定である複数の連続した区間において推定した電力比の分散値と予め閾値として設定した分散値とを比較する判定手段、を具備し、前記制御手段は、前記誤り検出手段にて誤りが検出され、かつ、前記判定手段において、前記電力比推定手段が推定した電力比の分散値が予め閾値として設定した分散値を超えていると判定された場合に、前記電力比推定手段にパイロット信号対データ信号の電力比を再推定させる制御を行う構成を採る。
【００２６】
この構成によれば、パイロット信号対データ信号の電力比の推定誤差によって復号データに誤りが検出された場合において、より精度の良いデータ信号対パイロット信号の電力比を用いて再度復調を行うことができるので、送信側に再送要求を行うことなく、一層効率良く誤り訂正を行うことができる。
【００２７】
【発明の実施の形態】
本発明の骨子は、ＱＡＭ変調信号を復調する際に用いるデータ信号対パイロット信号の電力比を送信側から貰うことなく自装置内で精度良く推定できるようにすることである。
【００２８】
以下、本発明の実施の形態について、図面を参照して詳細に説明する。
【００２９】
（実施の形態１）
図１は、本発明の実施の形態１に係る復調装置の構成を示すブロック図である。図１に示す実施の形態１に係る復調装置は、受信信号が入力される同期部１００と、受信信号と同期部１００の出力信号とが入力される逆拡散部１０１−１〜１０１−Ｌと、逆拡散部１０１−１〜１０１−Ｌの出力信号が入力されるチャネル推定部１０２−１〜１０２−Ｌと、逆拡散部１０１−１〜１０１−Ｌ及びチャネル推定部１０２−１〜１０２−Ｌの出力信号が入力される同期検波部１０３−１〜１０３−Ｌと、同期検波部１０３−１〜１０３−Ｌの出力信号が入力されるレイク合成部１０４と、レイク合成部１０４の出力信号が入力される信号点配置算出部１０５と、レイク合成部１０４及び信号点配置算出部１０５の出力信号が入力され、復調データを出力するデータチャネル復調部１０６とを備え、ＱＡＭ変調された信号を復調する際に用いるデータ信号対パイロット信号の電力比を精度良く推定し、ＱＡＭ復調を行うようになっている。
【００３０】
図２は、図１に示す信号点配置算出部１０５の構成を示すブロック図である。図２に示すように、信号点配置算出部１０５は、レイク合成部１０４の出力信号が入力されるデータチャネル受信電力推定部２０１及びパイロットチャネル受信電力推定部２０２と、データチャネル受信電力推定部２０１及びパイロットチャネル受信電力推定部２０２の出力信号が入力される電力比推定部２０３と、電力比推定部２０３に接続される記憶部２０４と、電力比推定部２０３及びパイロットチャネル受信電力推定部２０２の出力信号が入力され、推定した受信電力をデータチャネル復調部１０６に対して出力する信号点配置推定部２０５とを備えている。
【００３１】
次いで、上記構成を有する復調装置の動作について、図１〜図３を参照して説明する。なお、図３は、図２に示す電力比推定部２０３で行われるデータ信号対パイロット信号の電力比の推定方法を説明する図である。
【００３２】
図１において、同期部１００は、受信信号に対して逆拡散処理を行うタイミングを算出し、その同期タイミングを逆拡散部１０１−１〜１０１−Ｌに出力する。逆拡散部１０１−１〜１０１−Ｌは、同期部１００から入力される同期タイミングで、各チャネルの受信信号に対して逆拡散処理を行い、拡散符号との相関信号を出力する。
【００３３】
チャネル推定部１０２−１〜１０２−Ｌは、逆拡散部１０１−１〜１０１−Ｌから入力されるパイロットチャネルから既知信号であるパイロットシンボルを取り出し、それを用いて各パスにおける伝搬路特性を推定し、チャネル推定値（伝搬路の振幅特性及び位相回転量）として同期検波部１０３−１〜１０３−Ｌに出力する。
【００３４】
同期検波部１０３−１〜１０３−Ｌは、逆拡散部１０１−１〜１０１−Ｌから入力される逆拡散後の相関信号にチャネル推定部１０２−１〜１０２−Ｌにて推定されたチャネル推定値を乗算し、フェージング変動を補償した相関信号をレイク合成部１０４に出力する。
【００３５】
レイク合成部１０４は、同期検波部１０３−１〜１０３−Ｌから入力される各パスの相関信号をチャネル毎に同相加算して合成し、パイロットチャネルをデータチャネル受信電力算出部１０５に出力し、複数のデータチャネル（データチャネル＃１〜＃Ｋ）を信号点配置算出部１０５とデータチャネル復調部１０６とに出力する。
【００３６】
信号点配置算出部１０５は、レイク合成部１０４から入力されるパイロットチャネルと複数のデータチャネル（データチャネル＃１〜＃Ｋ）とを用いて復調時に用いる信号点配置を推定しデータチャネル復調部１０６に出力する。
【００３７】
データチャネル復調部１０６は、信号点配置算出部１０５から入力される信号点配置を用いて、レイク合成部１４から出力される複数のデータチャネル（データチャネル＃１〜＃Ｋ）の復調を行い、復調データを出力する。
【００３８】
ここで、図２を参照して、信号点配置算出部１０５における信号点配置の算出方法について詳しく説明する。
【００３９】
図２において、パイロットチャネル受信電力推定部２０２は、レイク合成部１０４から入力されるパイロットチャネルよってパイロット信号の受信電力を推定し、推定したパイロット信号の受信電力を電力比推定部２０３と信号点配置推定部２０５とに出力する。
【００４０】
データチャネル受信電力推定部２０１は、例えば式（１）を用いてレイク合成部１０４から入力される複数のデータチャネル（データチャネル＃１〜＃Ｋ）におけるデータ信号の受信電力を推定し、電力比推定部２０３に出力する。
【数１】
2004166004.tif 000003
【００４１】
電力比推定部２０３は、パイロットチャネル受信電力推定部２０２から入力されるパイロットチャネルの受信電力と、データチャネル受信電力推定部２０１から出力されるデータチャネルの受信電力と、更に記憶部２０４から読み出した過去に推定したパイロット信号とデータ信号の受信電力とを用いて、データ信号対パイロット信号の電力比を算出し、算出した電力比を信号点配置推定部２０５に出力すると同時に、記憶部２０４に出力して記憶させる。電力比推定部２０３で行われる電力比の推定方法は後述する。
【００４２】
信号点配置推定部２０５は、パイロットチャネル受信電力推定部２０２から入力されるパイロットチャネルの受信電力と電力比推定部２０３から入力されるデータ信号対パイロット信号の電力比とを用いて、復調時に用いる信号点配置を推定し、推定した信号点配置をデータチャネル復調部１０６に出力する。
【００４３】
次に、図３を参照して電力比推定部２０３における電力比の算出方法について詳しく説明する。図３は、データ信号対パイロット信号の電力比の推定時における推定区間について説明したものである。図３では、パイロット信号対データ信号の電力比が変動しない区間をサブフレームとし、サブフレームにおけるパイロットチャネルとデータチャネルは、それぞれ、Ｎ個のスロット（１ｓｔ  ｓｌｏｔ〜Ｎｔｈ  ｓｌｏｔ）でから構成されていることが示されている。
【００４４】
まず、サブフレームの最初のスロット（１ｓｔ  ｓｌｏｔ）では、過去に推定した電力比がないので、現スロットで推定したパイロット信号の受信電力とデータ信号の受信電力を用いて電力比を推定し、データチャネルの復調に用いる。同時に、推定した現スロットのパイロット信号とデータ信号の受信電力の情報を記憶部２０４に記憶させる。
【００４５】
２スロット目（２ｎｄ  ｓｌｏｔ）では、同様に２スロット目のパイロット信号の受信電力とデータ信号の受信電力を推定する。電力比を推定する時は、２スロット目で推定したパイロット信号とデータ信号の受信電力と、記憶部２０４から読み出した１スロット目で推定して格納しておいたパイロット信号とデータ信号の受信電力との２スロット分の受信電力情報を用いて２スロット目のパイロット信号対データ信号の電力比を算出し、データチャネル受信電力再推定部２０５に出力する。同時に、２スロット目で推定したパイロット信号とデータ信号の受信電力を記憶部２０４で記憶させる。
【００４６】
信号点配置推定部２０５では、電力比推定部２０３から入力される電力比に、パイロットチャネル受信電力推定部２０２から入力されるパイロット信号の受信電力を用いて２スロット目のデータチャネルを復調するために用いる信号点配置を推定し、データチャネル復調部１０６に出力する。
【００４７】
以降、サブフレームの最終スロット（Ｎｔｈ  ｓｌｏｔ）まで、同様に現スロットで推定したパイロット信号とデータ信号の受信電力に加えて、過去に推定した受信電力を用いて電力比を推定する。
【００４８】
このように、実施の形態１に係る復調装置によれば、パイロット信号対データ信号の電力比の変動がない区間において、データ信号対パイロット信号の受信電力比を推定する際に、過去の電力比の変動がない区間内に推定した受信電力も用いるようにしたので、推定区間を長くとることができ、電力比の推定精度を向上させ、ＱＡＭ信号を精度良く復調することができる。
【００４９】
なお、実施の形態１においては、電力比推定部２０３から記憶部２０４にパイロット信号の受信電力とデータ信号の受信電力とを格納したが、電力比推定部２０３で推定した電力比を格納しても良い。
【００５０】
また、実施の形態１においては、電力比推定部２０３から記憶部２０４にパイロット信号の受信電力とデータ信号の受信電力を格納するとしたが、パイロットチャネル受信電力推定部２０２及びデータチャネル受信電力推定部２０１から直接記憶部２０４に格納しても良い。
【００５１】
また、実施の形態１においては、信号点配置をスロット単位で推定を行ったが、スロット長より短い、又はスロット長より長い区間で信号点配置の推定を行っても良い。
【００５２】
（実施の形態２）
図４は、本発明の実施の形態２に係る復調装置の構成を示すブロック図である。なお、図４では、図１（実施の形態１）にて示した構成と同一ないしは同等である構成要素には同一の符号が付されている。ここでは、実施の形態２に関わる部分を中心に説明する。
【００５３】
図４に示す実施の形態２に係る復調装置では、図１（実施の形態１）にて示した構成において、信号点配置算出部１０５に代えて信号点配置算出部４０１が設けられている。
【００５４】
そして、データチャネル復調部１０６の出力信号が入力される復号部４０２と、復号部４０２の出力信号が入力される誤り検出部４０３と、誤り検出部４０３の出力信号が入力され、信号点配置算出部４０１に対して再推定を指示する制御部４０４とが追加されている。
【００５５】
図５は、図４に示す信号点配置算出部４０１の構成を示すブロック図である。図５に示す信号点配置算出部４０１では、図２に示した信号点配置算出部１０５において、電力比推定部２０３に代えて電力比推定部５０１が設けられ、信号点配置推定部２０５に代えて信号点配置推定部５０２が設けられている。
【００５６】
上記制御部４０４の出力信号（再推定指示信号）は、電力比推定部５０１に入力されている。また、信号点配置推定部５０２は、記憶部２０４にアクセスするようになっている。
【００５７】
次いで、上記構成を有する復調装置における信号点配置を推定する動作について、図４、図５を参照して説明する。
【００５８】
図４において、復号部４０２は、復調された復調データに対して復号化処理を行い、復号データを誤り検出部４０３に出力する。誤り検出部４０３は、復号データ中にあるチェックデータによって誤り検出を行い、誤りが検出されなかった場合には、情報データを外部に出力し、誤りが検出された場合には、その旨を制御部４０４に通知する。
【００５９】
制御部４０４は、誤り検出部４０３において誤りが検出されたことが通知された場合、信号点配置算出部４０１に対し、電力比を再推定するように指示を出す。その結果、信号点配置算出部４０１にて再度電力比の推定が行われ、それに基づきデータチャネル復調部１０６にて再度復調処理が行われる。
【００６０】
次に、図５を参照して、信号点配置算出部４０１における信号点配置の推定方法について詳しく説明する。
【００６１】
誤り検出部４０３において誤りが検出された場合、制御部４０４は、電力比を再推定するように電力比推定部５０１に指示を出す。電力比推定部５０１は、記憶部２０４に記憶されているサブフレーム内の過去のスロットで推定したデータチャネルとパイロットチャネルの受信電力を用いて電力比を再推定し、信号点配置推定部５０２に出力する。
【００６２】
信号点配置推定部５０２は、電力比推定部５０１にて再推定した電力比に記憶部２０４から読み出した各スロットで推定したパイロットチャネルの受信電力を用いて信号点配置を再推定し、データチャネル復調部１０６に出力する。
【００６３】
データチャネル復調部１０６は、信号点配置推定部５０２から入力される再推定した信号点配置を用いて、レイク合成部１０４から入力されるデータチャネルの復調を行い、復調データを出力する。
【００６４】
このように、実施の形態２に係る復調装置によれば、パイロット信号対データ信号の電力比の変動がない区間において、復号したデータに誤りが検出された場合、データ信号対パイロット信号の受信電力比を再推定し、より精度の良い電力比を用いて再度復調処理を行うようにしたので、ＱＡＭ変調信号を一層精度良く復調することができ、送信側に対して再送要求することなく、誤り訂正が可能となる。
【００６５】
なお、実施の形態２においては、誤り検出部４０３において誤りが検出された場合に、過去のスロットで推定したパイロット信号とデータ信号の受信電力を用いて再推定してデータチャネル復調部１０６に出力するとしたが、サブフレーム内の最終スロットで推定した電力比をそのままデータチャネル復調部１０６に出力しても良い。
【００６６】
（実施の形態３）
図６は、本発明の実施の形態３に係る復調装置の構成を示すブロック図である。なお、図６では、図４（実施の形態２）にて示した構成と同一ないしは同等である構成要素には同一の符号が付されている。ここでは、実施の形態３に関わる部分を中心に説明する。
【００６７】
図６に示す実施の形態３に係る復調装置では、図４（実施の形態２）にて示した構成において、信号点配置算出部４０１に代えて信号点配置算出部６０１が設けられ、制御部４０４に代えて制御部６０２が設けられている。そして、信号点配置算出部６０１と制御部６０２との間に、判定部６０３が追加されている。
【００６８】
図７は、図６に示す信号点配置算出部６０１の構成を示すブロック図である。図７に示す信号点配置算出部６０１では、図５に示した信号点配置算出部４０１において、電力比推定部５０１に代えて電力比推定部７０１が設けられている。
【００６９】
電力比推定部７０１は、推定したサブフレーム内の各スロットの電力比の分散値を追加された判定部６０３に出力する機能が追加されている。そして、追加された判定部６０３は、電力比推定部７０１から入力されるサブフレーム内の各スロットの電力比の分散値と予め設定した閾値との比較を行い、その比較結果を制御部６０２に通知する。制御部６０２は、誤り検出部４０３の検出結果と判定部６０３の比較結果とに基づき信号点配置算出部６０１に対する再推定指示を生成するようになっている。
【００７０】
次いで、上記構成を有する復調装置における信号点配置を推定する動作について、図６、図７を参照して説明する。
【００７１】
図７において、電力比推定部７０１は、サブフレームの最終スロットでの電力比を推定する時に、サブフレーム内の各スロットで推定した電力比の分散値を算出し、判定部６０３に出力する。
【００７２】
図６において、判定部６０３は、電力比推定部７０１から入力されるサブフレーム内の各スロットの電力比の分散値と予め設定した閾値との比較を行い、その比較結果を制御部６０２に通知する。
【００７３】
制御部６０２は、誤り検出部４０３の検出結果が誤り有りを示し、かつ、判定部６０３の比較結果が電力比推定部７０１にて推定された分散値が予め設定した閾値を超えていることを示す場合に、電力比を再推定するように電力比推定部７０１に指示を出す。
【００７４】
図７において、その結果、電力比推定部７０１は、記憶部２０４からサブフレーム内の過去のスロットで推定したデータチャネルとパイロットチャネルの受信電力を取り出し、それを用いて電力比を再推定し、信号点配置推定部５０２に出力する。
【００７５】
信号点配置推定部５０２は、電力比推定部７０１で再推定した電力比に記憶部２０４から読み出した各スロットで推定したパイロットチャネルの受信電力を用いて信号点配置を再推定し、データチャネル復調部１０６に出力する。
【００７６】
データチャネル復調部１０６は、信号点配置推定部５０２から入力される再推定された信号点配置を用いて、レイク合成部１０４から入力されるデータチャネルの復調を行い、復調データを出力する。
【００７７】
このように、実施の形態３に係る復調装置によれば、パイロット信号対データ信号の電力比の変動がない区間において、復号したデータに誤りが検出された場合には、各推定区間で推定した電力比の分散値が閾値を超えたことを条件にデータ信号対パイロット信号の受信電力比を再推定するようにしたので、より精度の良い電力比を用いて再度復調を行うことができる。したがって、一層効率的にＱＡＭ変調信号を精度良く復調することができ、送信側に対して再送要求することなく、誤り訂正が可能となる。
【００７８】
なお、実施の形態３においては、誤り検出部４０３において誤りが検出され、かつ電力比の分散値が閾値を超えている場合に、過去のスロットで推定したパイロット信号とデータ信号の受信電力を用いて再推定してデータチャネル復調部１０６に出力するとしたが、サブフレーム内の最終スロットで推定した電力比をそのままデータチャネル復調部１０６に出力しても良い。
【００７９】
【発明の効果】
以上説明したように、本発明によれば、データチャネルとパイロットチャネルとの電力比を送信側から貰うことなく精度良く推定してＱＡＭ変調信号を復調することができる。
【図面の簡単な説明】
【図１】本発明の実施の形態１に係る復調装置の構成を示すブロック図
【図２】図１に示す信号点配置算出部の構成を示すブロック図
【図３】図２に示す電力比推定部で行われるデータ信号対パイロット信号の電力比の推定方法を説明する図
【図４】本発明の実施の形態２に係る復調装置の構成を示すブロック図
【図５】図４に示す信号点配置算出部の構成を示すブロック図
【図６】本発明の実施の形態３に係る復調装置の構成を示すブロック図
【図７】図６に示す信号点配置算出部の構成を示すブロック図
【図８】従来の移動局が備える復調装置の構成例を示すブロック図
【図９】図８に示す信号点配置算出部の構成を示すブロック図
【図１０】図８に示すデータチャネル復調部が復調時に用いる１６ＱＡＭの信号点配置を示す図
【符号の説明】
１００  同期部
１０１−１〜１０１−Ｌ  逆拡散部
１０２−１〜１０２−Ｌ  チャネル推定部
１０３−１〜１０３−Ｌ  同期検波部
１０４  レイク合成部
１０５，４０１，６０１  信号点配置算出部
１０６  データチャネル復調部
２０１  データチャネル受信電力推定部
２０２  パイロットチャネル受信電力推定部
２０３，５０１，７０１  電力比推定部
２０４  記憶部
２０５，５０２  信号点配置推定部
４０２  復号部
４０３  誤り検出部
４０４，６０２  制御部
６０３  判定部
【図１】
2004166004.tif 000004
【図２】
2004166004.tif 000005
【図３】
2004166004.tif 000006
【図４】
2004166004.tif 000007
【図５】
2004166004.tif 000008
【図６】
2004166004.tif 000009
【図７】
2004166004.tif 000010
【図８】
2004166004.tif 000011
【図９】
2004166004.tif 000012
【図１０】
2004166004.tif 000013